(57)【要約】【課題】断熱性能を維持向上し、夏期に外気が比較的高くなる温暖地域であっても年間を通しての省エネルギー効果が得られるとともに、作業者に与える不快感や危険を除去し、断熱材と通気層とを一体化することにより、外断熱コンクリート建築物の外壁構造の施工を容易にすることができる断熱ボードを提供する。【解決手段】多数の突起を設けたプラスチック製のキャップシート１、その突起の底面に貼り合わせた平坦なプラスチック製のバックシート２、および突起の頂を連ねて貼り合わせた平坦なプラスチック製のライナーシート３からなる三層構成の気泡ボード１０である。気泡ボート１０の表面及び／又は裏面に、金属の薄層４を存在させる。【選択図】  図１
2004190215.tif 000002
【特許請求の範囲】
【請求項１】
多数の突起を設けたプラスチック製のキャップシート、その突起の底面に貼り合わせた平坦なプラスチック製のバックシート、および突起の頂を連ねて貼り合わせた平坦なプラスチック製のライナーシートからなる三層構成の気泡ボードであって、
前記気泡ボートの表面及び／又は裏面に、金属の薄層を存在させてなることを特徴とする断熱ボード。
【請求項２】
前記金属の薄層が、金属箔又はプラスチックフィルム上に設けた金属の蒸着層であり、且つその表面に樹脂コート層を存在させてなる請求項１に記載の断熱ボード。
【請求項３】
前記金属の薄層が、アルミニウムから形成されてなる請求項１又は２に記載の断熱ボード。
【請求項４】
前記プラスチックが、ポリエチレンテレフタレート又はポリエチレンである請求項１〜３のいずれか１項に記載の断熱ボード。
【請求項５】
前記プラスチックに難燃材を混練してある請求項１〜４のいずれか１項に記載の断熱ボード。
【発明の詳細な説明】
【０００１】
【発明の属する技術分野】
本発明は、外断熱工法で用いる断熱ボードに関する。
【０００２】
【従来の技術】
近年、建造物の断熱を行う工法として、外断熱工法が知られている。
外断熱工法とは、建築物を構成するコンクリート躯体が外気温の影響をできるだけ受けないようにコンクリート躯体を外側から断熱材で包囲して建築する工法である。
【０００３】
この外断熱工法を採用することにより、コンクリート躯体の熱疲労を防止してその耐久性を向上させることができるだけでなく、コンクリート建築物内での生活環境が著しく改善され、特に、コンクリート躯体の内側に断熱材を配置する内断熱に比較して省エネルギー効果が高く、また冬季に室内側での結露の発生を著しく低下できる等、経済的にも環境衛生的にも優れた生活空間を提供することができる。
【０００４】
しかしながら、このような外断熱工法を採用してコンクリート建築物を建築する場合、図５に示すように、コンクリート躯体３０の外壁面をグラスウール等の断熱材４０で覆い、この断熱材４０の外表面に沿って複数の下地材３３を所定の間隔をあけて、コンクリート躯体３０と一体化された取付金具３４で立設支持し、この下地材３３を利用して外装仕上材２０を取り付ける構造が外壁構造として一般的であった。
【０００５】
このとき、上記コンクリート躯体３０が外気温の影響をできるだけ受けないようにするため、コンクリート躯体３の外壁面を断熱材４０で覆うことにより、蓄熱体としてのコンクリート躯体３０の温度は年間を通して極端に低下することがない。
【０００６】
ところが、夏季において日中の外気温が３０℃前後になり、且つ夜間でも外気が２２〜２５℃となるような温暖地域では、外装仕上材２０が大気により加熱され、昇温した外装仕上材２０の裏面から断熱材４０を介してコンクリート躯体３０に輻射熱が伝熱する。
前述したようにコンクリートは、蓄熱作用があることから、一度保温されると、たとえ外気が夜間に多少低下しても、それだけでは所望の温度にまで低下しない。
このため、外断熱コンクリート建築物は、室内の温度が非常に高くなり、夏季では空調機を連続的に長時間作動させる必要があった。
【０００７】
また、外断熱工法によるコンクリート建築物は、図５に示すように、断熱材４０の内部に発生した水蒸気を大気に逃がすため、外装仕上材２０と断熱材４０との間に通気層３２が必要不可欠である。
しかしながら、断熱材４０で覆われたコンクリート躯体３０を所定の間隔の通気層３２を有するように外装仕上材２０で取り囲む施工は、煩雑となりやすく、人為的なミスも発生しやすかった。
【０００８】
上記のような建築物の外壁面を覆う断熱材としては、一般に、グラスウールを板状に成形し、場合により両面をアルミ蒸着フィルムで覆ったものが使用されている。このグラスウール断熱材は、施工に当たって適宜の寸法に裁断するか、またはあらかじめ裁断されたものが使用されている。
【０００９】
しかしながら、グラスウール断熱材は、裁断や埋め込みの使い勝手自体があまりよいものではなく、グラスウール断熱材を裁断すると、切り口からガラス繊維が露出したり、短片が散乱したりするため、それが作業者の皮膚に突き刺さって不快感を与えるという問題があり、吸入されて肺に入る危険もあった。
同様の問題は、家屋の取り壊しなどの場合にも生じる。
また、グラスウール断熱材は、ガラス繊維を接着剤で固めるという製法に起因して、充填密度にムラが生じやすく、それが断熱効果の場所によるバラツキを招いていた。
【００１０】
別の問題として、この種の断熱材が環境条件によっては湿気を含みやすいということが挙げられ、施工後に湿ると、断熱効果の急激な低下をみることがある。
【００１１】
【発明が解決しようとする課題】
本発明は、このような従来技術の有する課題に鑑みてなされたものであり、その目的とするところは、断熱性能を維持向上し、夏期に外気が比較的高くなる温暖地域であっても年間を通しての省エネルギー効果が得られるとともに、作業者に与える不快感や危険を除去し、断熱材と通気層とを一体化することにより、外断熱コンクリート建築物の外壁構造の施工を容易にすることができる断熱ボードを提供することにある。
【００１２】
【課題を解決するための手段】
すなわち、本発明によれば、多数の突起を設けたプラスチック製のキャップシート、その突起の底面に貼り合わせた平坦なプラスチック製のバックシート、および突起の頂を連ねて貼り合わせた平坦なプラスチック製のライナーシートからなる三層構成の気泡ボードであって、前記気泡ボートの表面及び／又は裏面に、金属の薄層を存在させてなることを特徴とする断熱ボードが提供される。
【００１３】
このとき、本発明では、前記金属の薄層が、金属箔又はプラスチックフィルム上に設けた金属の蒸着層であり、且つその表面に樹脂コート層を存在させてなることが好ましく、また、前記金属の薄層が、アルミニウムから形成されてなることが好ましい。
【００１４】
また、本発明では、前記プラスチックが、ポリエチレンテレフタレート又はポリエチレンであることが好ましく、更に、上記プラスチックに難燃材を混練してあることが好ましい。
【００１５】
【発明の実施の形態】
以下、本発明の実施の形態を図面に基づいて更に詳細に説明する。
図１〜３は本発明の断熱ボードの一例を示すものであり、（ａ）は概略斜視図、（ｂ）は要部断面図である。
本発明の断熱ボードは、図１〜３に示すように、多数の突起を設けたプラスチック製のキャップシート１、その突起の底面に貼り合わせた平坦なプラスチック製のバックシート２、および突起の頂を連ねて貼り合わせた平坦なプラスチック製のライナーシート３からなる三層構成の気泡ボード１０であって、気泡ボート１０の表面及び／又は裏面に、金属の薄層４を存在させてなるものである。
尚、図１は、気泡ボード１０の表面、即ち、気泡１２の頂上部１４側に金属の薄層４がある場合であり、図２は、気泡ボード１０の裏面、即ち、気泡１２の底面部１６側に金属の薄層４がある場合であり、図３は、気泡ボード１０の両面に金属の薄層がある場合である。
【００１６】
このとき、本発明の断熱ボードは、気泡ボートの表面及び／又は裏面に、金属の薄層を存在させることにより、外気が高くなる夏季においても外気によって熱せられた外装仕上材からの熱輻射を遮蔽する（熱線を反射する）ことができるため、断熱効果に優れ、コンクリート躯体の温度上昇を防止することができるとともに、気泡ボード１０の気泡１２と気泡１２との間に通気層１８が十分且つ確実に形成されているため、調湿効果に優れており、結露を予防し、且つ夏季に外気が比較的高くなる温暖地域であっても年間を通しての省エネルギー効果を得ることができる（図４参照）。
尚、本発明の用いる気泡ボードの気泡の配置は、千鳥状であることが一般的であるが、特に限定されるものでない。
【００１７】
また、本発明の断熱ボードは、断熱材として、従来のグラスウール断熱材の代わりに、気泡ボードを用いることにより、グラスウール断熱材の裁断の際に、切り口からガラス繊維の露出や短片が散乱することがないため、作業者に与える不快感や危険を除去することができる。
【００１８】
更に、本発明の断熱ボードは、図４に示すように、外断熱工法を採用してコンクリート建築物を建築する場合、図１に示す断熱ボード１０でコンクリート躯体３０の外壁面に断熱材と通気層とを一体施工することができるため、外断熱コンクリート建築物の外壁構造の施工を容易にすることができる。
【００１９】
また、本発明で用いる金属の薄層４は、金属箔であってもよいし、プラスチックフィルム上に設けた金属の蒸着層であってもよい。
気泡シートへの貼り合わせは、一般に熱融着によることが有利であるから、金属箔の場合も、他のプラスチックシートに貼り合わせることを容易にするため、箔の少なくとも一方の面に融着性のあるプラスチックの層を積層した形で使用すべきである。
金属箔は少なくとも１０μｍを超える厚さがあるのに対し、蒸着膜は数１ｎｍの厚さでしかないから、後者は、空気に触れていると長期の使用により酸化を受けて、機能を失う可能性がある。
特に、金属薄層として蒸着膜を採用する場合は、その表面にプラスチック層６、例えば、厚さ数μｍのエポキシ樹脂コート層を存在させて、金属が直接空気に触れないようにした構成が好ましい。
尚、金属の薄層は、アルミニウムから形成されていることが、熱輻射を遮蔽する（熱線を反射する）能力が優れているため好ましい。
【００２０】
本発明で用いる気泡ボードは、図１〜３に示すように、多数の突起を設けたプラスチック製のキャップシート１、その突起の底面に貼り合わせた平坦なプラスチック製のバックシート２、および突起の頂を連ねて貼り合わせた平坦なプラスチック製のライナーシート３とを熱溶着した三層中空積層体からなるものであり、キャップシート１とバックシート２との熱溶着により、真空成形された気泡１２が多数形成される。
これにより、上記気泡ボードは、独特の中空構造により、非常に軽量であり、平面圧縮強度、耐衝撃性、緩衝効果、熱遮断効率に優れているとともに、縦横の強度差がないため、どの方向にも加工することができる。
【００２１】
尚、本発明で用いるプラスチックは、特に限定されないが、ポリエチレンテレフタレート（ＰＥＴ）又はポリエチレン（ＰＥ）であることが好ましく、ポリプロピレン（ＰＰ）であってもよい。
このとき、上記プラスチックは、ポリプロピレン（ＰＰ）の場合、高温特性に優れており、また、高密度ポリエチレン（ＰＥ）製の場合、低温特性に優れている。
【００２２】
また、上記プラスチックは、難燃性を要求される場合、プラスチックに難燃剤を混練して使用することが好ましい。
難燃剤としては、これまでしばしば使用されてきたハロゲン系のものでもよいが、近年の環境に対する配慮にかんがみれば、ポリリン酸アンモニウムのようなリン酸系のものや、水酸化マグネシウム、水酸化アルミニウムなどの含水物系のものが好ましい。
【００２３】
更に、上記プラスチックは、原料にダイオキシン抑制剤の活性フェロキサイドや焼成ドロマイトを添加しても良い。
活性フェロキサイドは、燃焼温度を高め、合成樹脂の不完全燃焼によるベンゼン環の発生を抑制する効果があり、また、焼成ドロマイトには、塩素の吸着効果のあることが知られている。
これにより、上記プラスチックは、耐水性、防湿性、耐薬品性に優れているとともに、リサイクルも可能であり、焼却されても塩化水素・ダイオキシンが発生しないため、環境保全に寄与することができる。
【００２４】
【発明の効果】
以上説明した通り、本発明の断熱ボードは、断熱性能を維持向上し、夏期に外気が比較的高くなる温暖地域であっても年間を通しての省エネルギー効果が得られるとともに、作業者に与える不快感や危険を除去し、断熱材と通気層とを一体化することにより、外断熱コンクリート建築物の外壁構造の施工を容易にすることができる。
【図面の簡単な説明】
【図１】
本発明の断熱ボードの一例を示すものであり、（ａ）は概略斜視図、（ｂ）は要部断面図である。
【図２】本発明の断熱ボードの他の例を示すものであり、（ａ）は概略斜視図、（ｂ）は要部断面図である。
【図３】本発明の断熱ボードの更に他の例を示すものであり、（ａ）は概略斜視図、（ｂ）は要部断面図である。
【図４】本発明の断熱ボードを適用した外断熱工法における施工例を示す概略断面図である。
【図５】従来のグラスウール断熱材を適用した外断熱工法における施工例を示す概略断面図である。
【符号の説明】
１…キャップシート、
２…バックシート、
３…ライナーシート、
４…金属の薄層、
６…プラスチック層、
１０…気泡シート、
１２…気泡、
１４…頂上部、
１６…底面部、
１８…流通層、
２０…外装仕上材、
３０…コンクリート躯体、
３２…通気層、
３３…下地材、
３４…取付金具、
４０…断熱材。
【図１】
2004190215.tif 000003
【図２】
2004190215.tif 000004
【図３】
2004190215.tif 000005
【図４】
2004190215.tif 000006
【図５】
2004190215.tif 000007